(57)【要約】【課題】  計測値が増減した場合であっても、見栄えの良好なバーグラフを視認させることが可能な表示装置を提供する。【解決手段】  画像表示器１０と、計測値に基づいて変位するバーグラフ画像（帯状画像１１ａ）を表示させるべく、画像表示器１０を動作させる制御手段２０とを備え、制御手段２０は、計測値の最小値に対応する第１の位置Ｐ１と計測値に対応する第２の位置Ｐ２との間で色が徐々に変化するグラデーション表示としてバーグラフ画像（帯状画像１１ａ）を表示させる制御を行うとともに、計測値の変位に応じて各位置Ｐ１、Ｐ２でのバーグラフ画像（帯状画像１１ａ）の色を変化させない制御を行うものである。【選択図】図２
2014102077.tif 000002
【特許請求の範囲】
【請求項１】
画像表示器と、
計測値に基づいて変位するバーグラフ画像を表示させるべく、前記画像表示器を動作させる制御手段とを備え、
前記制御手段は、前記計測値の最小値に対応する第１の位置と前記計測値に対応する第２の位置との間で色が徐々に変化するグラデーション表示として前記バーグラフ画像を表示させる制御を行うとともに、前記計測値の変位に応じて前記第２の位置での前記バーグラフ画像の色を変化させない制御を行うことを特徴とする表示装置。
【請求項２】
前記制御手段は、前記計測値の変位に応じて前記第１の位置での前記バーグラフ画像の色を変化させない制御を行うことを特徴とする請求項１記載の表示装置。
【発明の詳細な説明】
【技術分野】
【０００１】
本発明は、画像表示器にバーグラフ画像を表示させる表示装置に関するものである。
【背景技術】
【０００２】
従来より、この種の表示装置にあっては、例えば下記特許文献１に記載されているものが知られている。この特許文献１に記載の表示装置は、車両に搭載された車両用計器からなり、各種車両情報を表示する表示器と、バーグラフ形式の回転数表示部やデジタル式の速度表示部とを表示させるべく、表示器を表示動作させるマイクロコンピュータからなる制御手段とを備えている。
【０００３】
一方、下記特許文献２には、車両の推奨速度や推奨アクセル開度等を示す推奨行動値をバーグラフ表示する表示手段を備え、バーグラフ表示される推奨行動値の上限値から下限値までの間にて色が徐々に変化するグラデーションにより表示させる構成が開示されている。
【先行技術文献】
【特許文献】
【０００４】
【特許文献１】特開２０１１−１９５００３号公報
【特許文献２】特開２０１２−１１６３９７号公報
【発明の概要】
【発明が解決しようとする課題】
【０００５】
ところで、特許文献２に記載のグラデーション付きバーグラフ表示を特許文献１に記載のバーグラフ形式にて表示される回転数表示部に適用した場合、当該回転数表示部は、計測値の増減に伴って計測値付近のグラデーション付きバーグラフの色が時々刻々と変化する。
【０００６】
例えば、エンジン回転数が１０００ｒ／ｍｉｎのときのグラデーションの色が水色で、エンジン回転数がバーグラフの７０００ｒ／ｍｉｎのときのグラデーションの色が藍色で、エンジン回転数が１０００ｒ／ｍｉｎから７０００ｒ／ｍｉｎに向かうに従ってグラデーションの色が水色から藍色へと徐々に変化している場合、エンジン回転数が７０００ｒ／ｍｉｎのときは７０００ｒ／ｍｉｎ付近のグラデーションの色が藍色となるが、エンジン回転数が４０００ｒ／ｍｉｎのときは４０００ｒ／ｍｉｎ付近のグラデーションの色が青色（水色と藍色との中間色）となる。
【０００７】
このように計測値の増減に伴って計測値付近のグラデーション付きバーグラフの色が時々刻々と変化するような構成にあっては、グラデーション付きバーグラフの表示が違和感のある見栄えとして視認される虞があり、更なる改良の余地が残されていた。
そこで本発明は、前述の課題に対して対処するため、計測値が増減した場合であっても、見栄えの良好なバーグラフを視認させることが可能な表示装置の提供を目的とするものである。
【課題を解決するための手段】
【０００８】
本発明は、画像表示器と、計測値に基づいて変位するバーグラフ画像を表示させるべく、前記画像表示器を動作させる制御手段とを備え、前記制御手段は、前記計測値の最小値に対応する第１の位置と前記計測値に対応する第２の位置との間で色が徐々に変化するグラデーション表示として前記バーグラフ画像を表示させる制御を行うとともに、前記計測値の変位に応じて前記第２の位置での前記バーグラフ画像の色を変化させない制御を行うことを特徴とする。
【０００９】
また本発明は、前記制御手段は、前記計測値の変位に応じて前記第１の位置での前記バーグラフ画像の色を変化させない制御を行うことを特徴とする。
【発明の効果】
【００１０】
本発明によれば、初期の目的を達成でき、計測値が増減した場合であっても、見栄えの良好なバーグラフを視認させることが可能な表示装置を提供できる。
【図面の簡単な説明】
【００１１】
【図１】本発明の実施形態による表示装置の正面図。
【図２】同実施形態による表示装置の電気的構成を示すブロック図。
【図３】同実施形態によるエンジン回転数が１００００ｒ／ｍｉｎのときの表示装置の正面図。
【発明を実施するための形態】
【００１２】
以下、図１〜図３に基づいて、本発明の実施形態をタコメータ画像を表示可能な車両用計器に適用した場合を例に挙げて説明する。
【００１３】
図１、図２において、本実施形態による表示装置としての車両用計器は、画像表示器（画像表示装置）１０と、制御手段２０と、入力端子３０とから主に構成され、画像表示器１０は、例えば車両利用者に対して所定の車両情報画像を表示可能な液晶表示パネルからなるフラットパネルディスプレイを適用することができ、本例では、車両の運転席に着座している車両利用者の前方に位置するインストルメントパネル内に設置されているものとする。なお、画像表示器１０は、液晶表示パネルではなく有機ＥＬパネルを適用してもよい。
【００１４】
画像表示器１０は、図１に示すように、その画面上にて、例えば車速を表示する車両情報画像からなるスピードメータ画像（図示せず）や、計測値（エンジン回転数情報）に基づいて変位する車両情報画像からなるタコメータ画像１１を表示可能に構成されている。
【００１５】
タコメータ画像１１は、略円弧状のバーグラフ画像であり、制御手段２０による制御のもと、入力端子３０を通じて入力する前記計測値に応じた値をバーグラフ形式にて表示するようになっている。
【００１６】
なお、画像表示器１０に表示されるタコメータ画像１１は、帯状に延びるバーグラフ画像である帯状画像１１ａと、この帯状画像１１ａに沿うように表示される指標画像１１ｂとから主に構成される。
【００１７】
指標画像１１ｂは、略円弧状の配列形態を有して表示される数字画像や目盛画像を備えている。つまり、この場合、「０〜１０」までの数字画像が、個々の目盛画像に対応するように表示され、図１中、左下に位置する目盛画像（指標画像１１ｂ）箇所には「０」なる数字画像が表示されているとともに図１中、右上に位置する目盛画像（指標画像１１ｂ）箇所には「１０」なる数字画像が表示されているものとする。なお、１１ｃは、エンジン回転数の単位を示す単位表示画像である。
【００１８】
制御手段２０は、例えばＲＯＭ、ＲＡＭ、不揮発性メモリやフラッシュメモリ等の記憶装置を含むマイクロコンピュータ２１と、このマイクロコンピュータ２１からの指令信号に応じて、帯状画像１１ａと指標画像１１ｂと単位表示画像１１ｃとで構成されるタコメータ画像１１や、前記スピードメータ画像を画像表示器１０に表示させるべく、画像表示器１０を表示動作させるグラフィックコントローラ２２とからなる。
【００１９】
マイクロコンピュータ２１は、入力端子３０を通じて入力する前記回転数情報を処理し、グラフィックコントローラ２２を通じて画像表示器１０に表示させる前記スピードメータ画像やタコメータ画像１１を制御する。すると、画像表示器１０の画面上には、前記スピードメータ画像や、帯状画像１１ａと指標画像１１ｂと単位表示画像１１ｃとから構成されるタコメータ画像１１が表示される。
【００２０】
そして、この場合、グラフィックコントローラ２２（制御手段２０）は、前記計測値が最小の値であるときの前記計測値の最小値に対応する第１の位置Ｐ１と、前記計測値に対応する第２の位置Ｐ２との間で色が徐々に変化するグラデーション表示として帯状画像１１ａ（バーグラフ画像）を表示させる制御を行う。
【００２１】
ここで、第１の位置Ｐ１とは、帯状画像１１ａの始点位置（図１では０ｒ／ｍｉｎ）に対応する位置であり、第２の位置Ｐ２とは、前記計測値（現在の計測値）を示す帯状画像１１ａの終点位置（図１では５０００ｒ／ｍｉｎ）に対応する位置である。
【００２２】
なお、図１の場合、０ｒ／ｍｉｎに対応する第１の位置Ｐ１での帯状画像１１ａの色調を水色（淡い色）とするとともに、５０００ｒ／ｍｉｎに対応する第２の位置Ｐ２での帯状画像１１ａの色調を藍色（濃い色）とし、第１の位置Ｐ１（０ｒ／ｍｉｎ）から第２の位置Ｐ２（５０００ｒ／ｍｉｎ）へと向かうに従って、帯状画像１１ａの色調を水色から藍色へと徐々に変化させた構成としている。また、帯状画像１１ａの背景を形成する背景画像１１ｄの色は、帯状画像１１ａの色とコントラスト差が大きな色であることが望ましく、この場合、白色となっている。
【００２３】
次に、図３は、エンジン回転数が図１の５０００ｒ／ｍｉｎの状態から１００００ｒ／ｍｉｎに変位した状態の帯状画像１１ａを示している。この図３の状態において、第１の位置Ｐ１は、帯状画像１１ａの始点位置（図１の場合と同様に０ｒ／ｍｉｎ）に対応する位置であり、第２の位置Ｐ２は、前記計測値を示す帯状画像１１ａの終点位置（つまり１００００ｒ／ｍｉｎ）に対応する位置である。
【００２４】
さらに、図３の場合、０ｒ／ｍｉｎに対応する第１の位置Ｐ１での帯状画像１１ａの色調を水色（淡い色）とするとともに、１００００ｒ／ｍｉｎに対応する第２の位置Ｐ２での帯状画像１１ａの色調を藍色（濃い色）とし、第１の位置Ｐ１（０ｒ／ｍｉｎ）から第２の位置Ｐ２（１００００ｒ／ｍｉｎ）へと向かうに従って、帯状画像１１ａの色調を水色から藍色へと徐々に変化させた構成としている。
【００２５】
つまり、本実施形態の場合、グラフィックコントローラ２２（制御手段２０）は、前記計測値であるエンジン回転数が５０００ｒ／ｍｉｎから１００００ｒ／ｍｉｎに変化（変位）した場合であっても、第１の位置Ｐ１での帯状画像１１ａの色調は常に水色となっており、且つ、第２の位置Ｐ２での帯状画像１１ａの色調は常に藍色となっている。
【００２６】
このようにグラフィックコントローラ２２（制御手段２０）は、エンジン回転数（前記計測値）の変位に応じて第２の位置Ｐ２（各位置Ｐ１、Ｐ２）でのバーグラフ画像である帯状画像１１ａの色を変化させない制御を行うことで、前記計測値が増減した場合であっても、バーグラフ画像である帯状画像１１ａの変位が違和感のない状態として視認され、車両利用者に対し見栄えの良好なバーグラフ画像（バーグラフ）を視認させることができる。
【００２７】
以上のように本実施形態では、画像表示器１０と、前記計測値に基づいて変位するバーグラフ画像（帯状画像１１ａ）を表示させるべく、画像表示器１０を動作させる制御手段２０とを備え、制御手段２０は、前記計測値の最小値に対応する第１の位置Ｐ１と前記計測値に対応する第２の位置Ｐ２との間で色が徐々に変化するグラデーション表示としてバーグラフ画像（帯状画像１１ａ）を表示させる制御を行うとともに、前記計測値の変位に応じて第２の位置Ｐ２（各位置Ｐ１、Ｐ２）でのバーグラフ画像（帯状画像１１ａ）の色を変化させない制御を行うことにより、前記計測値が増減した場合であっても、バーグラフ画像である帯状画像１１ａの変位が違和感のない状態として視認され、車両利用者に対し見栄えの良好なバーグラフ画像（バーグラフ）を視認させることができる。また、帯状画像１１ａにおいて、最も色の濃い部分が現在の計測値を示していることで、車両利用者は現在の計測値を瞬時に把握（認識）することができるというメリットもある。
【００２８】
なお、本実施形態では、グラデーション表示がタコメータ画像１１（帯状画像１１ａ）に設けられている例について説明したが、タコメータ画像１１以外の各種車両情報画像（例えばスピードメータ画像）に対して、本発明を適用することができることは言うまでもない。
【符号の説明】
【００２９】
１０    画像表示器（画像表示装置）
１１    タコメータ画像
１１ａ  帯状画像
１１ｂ  指標画像
１１ｃ  単位表示画像
２０    制御手段
２１    マイクロコンピュータ
２２    グラフィックコントローラ
３０    入力端子
Ｐ１    第１の位置
Ｐ２    第２の位置
【図１】
2014102077.tif 000003
【図２】
2014102077.tif 000004
【図３】
2014102077.tif 000005